(57)【要約】【課題】ボトル等の被装着体に対するシートの装着不良を抑制することができるようにすること。【解決手段】複数枚のシートＳを積層して収容するストック手段１１と、このストック手段１１からシートＳを繰り出すフィード手段１２と、このフィード手段１２により繰り出されたシートＳを搬送し、当該シートＳをボトルＢに装着する装着手段１３とを備えてシート装着装置１０が構成されている。装着手段１３は、ボトルＢにシートＳを押さえ付ける押付手段２７を備えている。【選択図】図１
2010208664.tif 000002
【特許請求の範囲】
【請求項１】
複数枚のシートを積層して収容するストック手段と、このストック手段から前記シートを繰り出すフィード手段と、このフィード手段により繰り出されたシートを第１及び第２の搬送部によって厚さ方向両側から挟み込んで搬送し、当該シートを被装着体に装着する装着手段とを備えたシート装着装置において、
前記装着手段は、少なくとも一方の搬送部の駆動力により回転可能に設けられた弾性変形可能な軸部材と、この軸部材の外周面に設けられるとともに、シートに当接したときに弾性変形可能な当接部材とからなる押付手段を更に備え、前記被装着体に前記シートを押さえ付けて装着することを特徴とするシート装着装置。
【請求項２】
ストック手段に積層して収容されたシートをフィード手段により繰り出す工程と、
フィード手段により繰り出されたシートを搬送した後、被装着体にシートを押さえ付けて当該シートを被装着体に装着する工程とを行うことを特徴とするシート装着方法。
【発明の詳細な説明】
【技術分野】
【０００１】
本発明は、シート装着装置及び装着方法に係り、更に詳しくは、容器等の被装着体にシートを装着することができるシート装着装置及び装着方法に関する。
【背景技術】
【０００２】
従来より、ＰＥＴボトルや瓶等の容器に入った商品にあっては、店舗等において陳列や販売する際、商品情報やキャンペン情報等を記載したシートを容器のネックに装着する場合が多くある。かかるシートをネックに装着する装置としては、例えば、特許文献１に開示されている。同文献の装着装置は、ストックされたシートを取付位置まで搬送するシート搬送手段と、取付位置に容器を搬送する容器搬送手段と、この容器搬送手段により搬送された容器のネックにシートの挿通孔を挿通させる取付手段とを備えて構成されている。同装置では、前記各搬送手段によりシートと容器とを相対移動させ、容器のネックにシートの挿通孔を挿通した後、シート搬送手段によるシートの保持を解除して当該シートを容器に装着するようになっている。
【先行技術文献】
【特許文献】
【０００３】
【特許文献１】特開２００１−２０３６号公報
【発明の概要】
【発明が解決しようとする課題】
【０００４】
しかしながら、特許文献１の装置にあっては、シート搬送手段によるシートの保持を解除した後、シートの自重により下降することで当該シートの装着を行っている。このため、シートの下降中にネックから挿通孔が外れたり、不完全な挿通状態になる等の装着不良が多発し、容器からシートが脱落し易くなる、という不都合を招来する。
【０００５】
［発明の目的］
本発明は、このような不都合に着目して案出されたものであり、その目的は、被装着体に対するシートの装着不良を抑制することができるシート装着装置及び装着方法を提供することにある。
【課題を解決するための手段】
【０００６】
前記目的を達成するため、本発明は、複数枚のシートを積層して収容するストック手段と、このストック手段から前記シートを繰り出すフィード手段と、このフィード手段により繰り出されたシートを第１及び第２の搬送部によって厚さ方向両側から挟み込んで搬送し、当該シートを被装着体に装着する装着手段とを備えたシート装着装置において、
前記装着手段は、少なくとも一方の搬送部の駆動力により回転可能に設けられた弾性変形可能な軸部材と、この軸部材の外周面に設けられるとともに、シートに当接したときに弾性変形可能な当接部材とからなる押付手段を更に備え、前記被装着体に前記シートを押さえ付けて装着する、という構成を採っている。
【０００７】
また、本発明の装着方法は、ストック手段に積層して収容されたシートをフィード手段により繰り出す工程と、
フィード手段により繰り出されたシートを搬送した後、被装着体にシートを押さえ付けて当該シートを被装着体に装着する工程とを行う、という方法を採っている。
【発明の効果】
【０００８】
本発明によれば、押付手段により被装着体に向かってシートを押さえ付けるので、シートの装着中に、被装着体となる容器のネックからシートが外れたり、不完全な装着状態で装着されることを防止でき、ネックにシートをしっかりと安定して装着することが可能となる。
また、押付手段の軸部材及び当接部材が弾性変形可能なので、シートの押さえ付けを行うときに、被装着体の形状に応じて軸部材及び当接部材を変形させることができる。これにより、被装着体の形状に倣うようにシートを押さえ付け可能となるばかりでなく、被装着体の形状変化にも容易に対応できる汎用性を押付手段に付与することが可能となる。
更に、搬送部の駆動力により軸部材を回転可能としたので、搬送部と軸部材の駆動を一の駆動源で行えるようになり、構造の簡略化を図ることが可能となる。
【図面の簡単な説明】
【０００９】
【図１】実施形態に係るシート剥離装置の概略正面図。
【図２】装着手段の図１中Ａ矢視図。
【図３】（Ａ）〜（Ｃ）は、図１中Ｂ〜Ｄ矢視断面図。
【図４】シートの取り付け要領の説明図。
【図５】シートの取り付け要領の説明図。
【発明を実施するための形態】
【００１０】
以下、本発明の実施の形態について図面を参照しながら説明する。
【００１１】
図１〜図５において、実施形態に係るシート装着装置１０は、複数枚のシートＳを収容するストック手段１１と、このストック手段１１の図１中下方に設けられたフィード手段１２と、シートＳを被装着体としてのボトルＢに装着する装着手段１３とを備えて構成され、ボトルＢを図１中左方向に搬送するベルトコンベア等からなる搬送手段１５の図１中上方に配置されている。
【００１２】
シートＳは、２枚の表シートＳ１と、これら表シートＳ１の裏面に積層された裏シートＳ２とからなる２層構造となっている。各表シートＳ１及び裏シートＳ２は、図３に示されるように、裏シートＳ２の左右両端に沿う所定幅の接着領域Ｓ３で接着されており、それ以外の領域は接着されていない。また、裏シートＳ２の面内中央部には、挿通孔Ｓ６が形成されている。従って、接着領域Ｓ３と共に裏シートＳ２の左右両側を下方に折り曲げることで、各表シートＳ１の突き合わせ縁が引っ掛け部Ｓ５として上向きに変位し、同時に裏シートＳ２に設けられた挿通孔Ｓ６が上方に表出するようになっている。引っ掛け部Ｓ５は、図４に示されるように、折り曲げた裏シートＳ２が復元しようとする力でネック部Ｂ２に向かって付勢され、キャップ部Ｂ３の下部に引っ掛かってボトルＢに装着されるようになっている。なお、特に限定されるものでないが、各表シートＳ１の表面には、図示省略した商品情報、キャンペン情報等が印刷又は印字可能になっている。
【００１３】
前記ボトルＢは、筒状のボディ部Ｂ１と、このボディ部Ｂ１の上端から次第に縮径する形状に設けられたネック部Ｂ２と、このネック部Ｂ２の先端に取り付けられて当該先端より大きい径寸法を有するキャップ部Ｂ３とを備えている。
【００１４】
前記ストック手段１１は、複数枚のシートＳを積層した状態で収容可能に設けられた前ガイド１７と、後ガイド１８と、これら前、後ガイド１７、１８の下方に位置するとともに、前、後ガイド１７、１８の下部から１枚ずつ供給されるシートＳを支持する下ガイド１９とを備えて構成されている。
【００１５】
前記フィード手段１２は、直動モータ２１と、この直動モータ２１を介して下ガイド１９の上面に沿って移動可能なスライド板２２とを備え、直動モータ２１を作動することによって、下ガイド１９で支持されたシートＳがスライド板２２により装着手段１３に繰り出されるようになっている。
【００１６】
前記装着手段１３は、図２及び図３に示されるように、左右一対の第１の搬送部としての第１の丸ベルト２５と、第１の丸ベルト２５の上方に設けられるとともに、第１の丸ベルト２５とでシートＳを厚さ方向両側から挟み込み可能な左右一対の第２の搬送部としての第２の丸ベルト２６と、ボトルＢにシートＳを押さえ付ける押付手段２７とを備えて構成されている。
【００１７】
前記各第１の丸ベルト２５は、下ガイド１９の図１中左側に隣接する駆動プーリ２９と、この駆動プーリ２９の図１中左下側に位置する従動プーリ３０とに掛け回されている。駆動プーリ２９は、図示しない駆動源を介して第１の丸ベルト２５を同図中矢印方向に回行するように構成されている。
【００１８】
前記各第２の丸ベルト２６は、下ガイド１９の図１中左側に隣接する駆動プーリ３１と、この駆動プーリ３１の図１中左下側に位置する従動プーリ３２とに掛け回されている。駆動プーリ３１は、図示しない駆動源を介して第２の丸ベルト２６を図１中矢印方向に回行するように構成されている。これにより、フィード手段１２により繰り出されたシートＳが第１及び第２の丸ベルト２５、２６に挟持されつつ当該丸ベルト２５、２６の回行によって図１中左下方向に搬送されるようになっている。
【００１９】
ここで、第１及び第２の丸ベルト２５、２６は、図３（Ａ）に示されるように、シートＳの搬送初期段階ではシートＳを上下から挟み込み、シートＳの搬送後期段階ではシートＳを左右から挟み込むよう、シートＳの搬送段階に応じて相対変位して挟み込み方向を変え、引っ掛け部Ｓ５を形成できるようになっている。
【００２０】
前記押付手段２７は、各従動プーリ３２の回転軸３２Ａに設けられた主動傘歯車３４と、この主動傘歯車３４を介して回転する従動傘歯車３５と、この従動傘歯車３５に連結され、図示しない支持プレート等を介して回転可能に支持された軸部材３６と、この軸部材３６の先端側外周面に設けられ、当該軸部材３６の径方向に突出する多数の線状部材からなる当接部材３７とを備えている。これにより、軸部材３６は第２の丸ベルト２６の駆動力を利用して回転可能となっている。なお、軸部材３６は、その軸線が湾曲して先端側が上下左右に揺動するように弾性変形可能な素材を用いて構成され、当接部材３７は、シートＳやボトルＢに当接したときに、弾性変形可能な素材を用いて構成されている。
【００２１】
次に、前記シート装着装置１０によるシートＳの装着方法について説明する。
【００２２】
先ず、ストック手段１１に複数のシートＳが収容され、最下部に位置するシートＳが下ガイド１９上に支持された状態で、搬送部１５上によりボトルＢが搬送されてくる。そして、図示しないセンサによってボトルＢが所定位置に達したことが検知されると、直動モータ２１が作動してスライド板２０を移動させ、下ガイド１９上のシートＳを第１及び第２の丸ベルト２５、２６の間に繰り出す。これにより、シートＳは、第１及び第２の丸ベルト２５、２６により挟み込まれ、ボトルＢの搬送速度と同速で搬送される。なお、下ガイド１９にシートＳがなくなると、そこには、次のシートＳがストック手段１１から落下して供給される。
【００２３】
そして、シートＳは、装着搬送手段１３による搬送段階に応じて一部が折り曲げられることで、ボトルＢに引っ掛け可能な引っ掛け部Ｓ５を各表シートＳ１の外縁に形成しながら搬送され、挿通孔Ｓ６が上方に表出するようになる。
【００２４】
引っ掛け部Ｓ５が形成されたシートＳ１は、搬送部１５によって搬送されるボトルＢのネック部Ｂ２に挿通孔Ｓ６が挿通されて装着される。このとき、図４、図５に示されるように、軸部材３６が回転し、当接部材３７が弾性変形してボトルＢに表シートＳ１を押さえ付け、軸部材３６がボトルＢの形状に追従して弾性変形し、シートＳを下方に押さえ付けて挿通孔Ｓ６にネック部Ｂ２を確実に挿通される。
【００２５】
従って、このような実施形態によれば、第１及び第２の丸ベルト２５、２６による搬送後、当接部材３７によりシートＳに当接して押さえ付けを行うので、ネック部Ｂ２の下部にまでシートＳの挿通孔Ｓ６を挿通でき、シートＳの装着不良の発生を回避することが可能となる。
【００２６】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２７】
例えば、シートＳは、引っ掛け部Ｓ５を形成可能な接着シートＳに限定されることはなく、一枚厚のものを用いる等、種々の変更が可能であり、装着手段１３も相対変位して引っ掛け部Ｓ５を形成可能な構成のものを用いる必要はない。
【００２８】
また、被装着体としてボトルＢは、瓶ボトル、ＰＥＴボトル、金属ボトル等様々なボトルに対応可能であって、シートＳの装着を行える限りにおいて、スプレー缶等の他の容器や様々な形態の商品等としてもよい。
【００２９】
更に、直動モータ２１は、エアシリンダ、油圧シリンダ等の駆動手段に代えてもよい。
【００３０】
また、軸部材３６は、前記各プーリ２９〜３２の何れかの回転軸の駆動力により回転可能な構成とすればよい。
【００３１】
更に、当接部材３７は、図示構成例に限られるものでなく、軸部材の径方向に突出する複数枚のシートにより形成する等、種々の変更が可能である。
【符号の説明】
【００３２】
１０  シート装着装置
１１  ストック手段
１２  フィード手段
１３  装着手段
２５  第１の丸ベルト（第１の搬送部）
２６  第２の丸ベルト（第２の搬送部）
２７  押付手段
３６  軸部材
３７  当接部材
Ｂ  ボトル（被装着体）
Ｓ  シート
【図１】
2010208664.tif 000003
【図２】
2010208664.tif 000004
【図３】
2010208664.tif 000005
【図４】
2010208664.tif 000006
【図５】
2010208664.tif 000007